(57)【要約】      （修正有）【課題】自動車用ナビゲーションのハンドルへの取付装置を提供する。【解決手段】環状のリム１からハンドルシャフト４の連結されたハブ３に向かって放射状にスポーク２が連結されるハンドルと、ハンドルシャフト４の端部と嵌合されるように中央部に貫通口５３を備え、回り止め軸受けアセンブリー５５が形成された状態において、ハンドルシャフト４の外周面に形成されている第１のマグネットモジュール５０と、ブラケット４０により前記第１のマグネットモジュール５０に固定され、リム１の内側に形成されたハンドルスイッチ１０を備えたパネル２０を有するハウジング３０と、ハブ３の下に位置するハンドルシャフト４の所定の部位に固定されている第２のマグネットモジュール６０と、を備え、第１及び第２のマグネットモジュール５０、６０の磁石の相互作用により発生した磁力によりハンドルスイッチ１０がハンドルの回転がある場合であっても固定されている。【選択図】図２
2010208500.tif 000002
【特許請求の範囲】
【請求項１】
自動車用ナビゲーションのハンドルへの取付装置であって、
環状のリムからハンドルシャフトの連結されたハブに向かって放射状にスポークが連結されることにより内部に所定の空間を有するハンドルと、
前記ハブの上に突き出ているハンドルシャフトの端部と嵌合されるように中央部に貫通口を備え、前記貫通口の周縁に回り止め軸受けアセンブリーが形成された状態において、磁石よりなってハンドルシャフトの外周面に形成されている第１のマグネットモジュールと、
ブラケットにより前記第１のマグネットモジュールに固定され、上面に前記リムと並ぶように所定の距離離れた位置に前記リムの内側に形成されたハンドルスイッチ及びナビゲーションのどちらか一方を備えたパネルを有するハウジングと、
磁石よりなって前記ハブの下に位置するハンドルシャフトの所定の部位に固定されている第２のマグネットモジュールと、
を備え、
第１及び第２のマグネットモジュールの磁石の相互作用により発生した磁力が前記ハンドルの回転力よりも大きいと共に、前記回り止め軸受けアセンブリーにより前記第１のマグネットモジュールがハンドルシャフトに固定されることにより、前記ハンドルスイッチ及びナビゲーションのどちらか一方が、ハンドルの回転がある場合であっても固定されていることを特徴とする、自動車用ナビゲーションのハンドルへの取付装置。
【請求項２】
前記第２のマグネットモジュールは、ハンドルシャフトに形成されているコントロールボックスの上面に固着されていることを特徴とする、請求項１に記載の自動車用ナビゲーションのハンドルへの取付装置。
【請求項３】
前記第２のマグネットモジュールは、複数の分割片に切り割られていることを特徴とする、請求項１に記載の自動車用ナビゲーションのハンドルへの取付装置。
【請求項４】
前記パネルは、前記ハンドルスイッチからの信号を無線送信する送信部をさらに備え、これに応じて、前記コントロールボックスは、前記送信部からの信号を受信する受信部をさらに備えることを特徴とする、請求項１または２に記載の自動車用ナビゲーションのハンドルへの取付装置。
【請求項５】
前記第１及び第２のマグネットモジュールの磁石は、ネオジミウムよりなることを特徴とする、請求項１に記載の自動車用ナビゲーションのハンドルへの取付装置。
【請求項６】
前記第１及び第２のマグネットモジュールの磁石は電磁気石よりなり、前記コントロールボックスは、前記電磁気石に電流を供給する電流供給部及び自動車の始動を感知する制御部を備えて、前記制御部が自動車の始動を感知したときに、前記電流供給部を介して前記電磁気石に電流を供給することを特徴とする、請求項２に記載の自動車用ナビゲーションのハンドルへの取付装置。
【発明の詳細な説明】
【技術分野】
【０００１】
本発明は自動車用ナビゲーションのハンドルへの取付装置に係り、さらに詳しくは、オーディオ選曲やボリューム調節などを行うようにハンドルの上面に取り付けられたスイッチやナビゲーションをハンドルそのものに取り付けるが、ハンドルの回転がある場合であっても、スイッチやナビゲーションが回転されることなく定位置に固定されて操作の便宜性を提供するだけではなく、既存のハンドル構造の複雑な変更なしに便利で且つ簡単に施工可能な自動車用ナビゲーションのハンドルへの取付装置に関する。
【背景技術】
【０００２】
自動車のステアリング、すなわち、操舵装置は、方向転換のために用いられるものであって、ステアリングホイール、すなわち、ハンドルの操作により発生した回転力がステアリングシャフトを介してギア装置（一般的には、ラック／ピニオン構造）に伝達され、ギア装置がタイロッドを動かして車輪を回転させるような方式を取っているのが一般的であり、最近には、ほとんどの車両がＥＰＳやウォームギア／パワーシリンダー方式のパワーステアリングシステムを使用している。
【０００３】
かかる一般的なステアリング装置を備えた現在の自動車のハンドルを調べてみると、高級車に取り付けられ始めたハンドルスイッチが一般の車両にまで普及されていることが分かる。このようなハンドルスイッチは、運転中にダッシュボードやデッキに取り付けられているエアコン調節ボタンやオーディオ選曲ボタンなどの周辺機器を作動させることが困難であるため、これをハンドルの周縁にも取り付けて運転者の集中力を乱すことなく、便利で且つ安全に周辺機器を動作させるようにしたものである。
【０００４】
要するに、ハンドルスイッチは、運転者が両手でハンドルを把持した状態で運転をしているとき、周辺機器の作動のために視線が分散されることを防ぐだけではなく、ハンドルを把持した状態において簡単にスイッチを押下可能であるという利便性があって、既に高級車両においては必須装置として使用されてきており、現在には一般の車両にまで広く普及されている。
【０００５】
ところが、このような公知のハンドルスイッチは、ハンドルの上面やハンドルの側面に突き出るように取り付けられているため、ハンドルの回転と共にスイッチが回転されてしまう。この場合、スイッチの位置が、ハンドルの回転に起因して、１８０°逆方向に回転されてしまったり、９０°回転されてしまう可能性があるため、むしろ変位したスイッチを操作するために運転者の集中力が低下して大型運転事故を引き起こしたりスイッチの誤作動を引き起こしたりする余地が高いという不都合があった。
【０００６】
上記の理由から、ハンドルの回転とは無関係に常時定位置に固定されているハンドルスイッチが望まれる。このため、例えば、下記の特許文献１に記載の「自動車ハンドルに回転されないように設けられたオプションボタン操作台」の場合、ハンドルの回転にも拘らずに定位置に固定されているハンドルスイッチ（オプションボタン操作台）の構造を提案し、上記の不都合を解消することができた。
【０００７】
下記の特許文献１は、「操舵カラムの適当な部位を切断し、その切断された上下の操舵軸の切断部位に駆動ギアと従動ギアをそれぞれ設置し、前記駆動ギアと従動ギアとの間に噛合されて回転方向を同じくする中間ギアが設けられ、前記駆動ギアと従動ギア及び中間ギアの外部には駆動ギアの軸と従動ギアの軸を軸着しながら、内部に中間ギアの軸を取り付けるギアケーシング部が設けられ、前記駆動ギアの中心部に形成された空間を介して前記ボタン操作台が設けられる固定シャフトを支持し、前記固定シャフトの上端にハンドルの中心上面にハンドルと分離されて設けられたオプションボタン操作台を連結してこれを固定支持し、前記シャフトを介してオプションボタンを連結する線を配線した方式」を採用していることが分かり、前記技術の構造を大まかにまとめると、結局、既存のハンドル軸の構造に複数のギアを別設してギアの相互連関駆動によりボタン操作台が回転されないような方式を採用していることが分かる。
【０００８】
ところが、上記の技術によれば、既存のハンドル軸を切断してギアを設置することを余儀なくされるため、製作工程や製作費用が高くなるという問題点があるだけではなく、一般のカーセンターなどの修理所においてあえて構造変更をすることができない複雑な構造を提示しているため、既存の車両から変更し難いという問題があり、一般車両との互換性を提供することができないという欠点があった。
【０００９】
さらに、ハンドル軸の回転にギアが連動するため、ギア同士の摩擦力により結果的にハンドルの回転にも影響を与えてしまい、より強力な力をかけなければ、ハンドルを回転させることができず、使い勝手が悪いことが予測される。
【００１０】
したがって、ハンドル構造の全面的な改良なしに便利で且つ簡単に提供されるものであって、ハンドル軸の回転による摩擦力を極力抑えることができてハンドル操作に不便さを与えない新たな方式の自動車用ハンドルスイッチの取付装置が提示される必要があるのが現状である。
【００１１】
さらにまた、現在、自動車においてナビゲーションが汎用されているが、これまでのナビゲーションはハンドルから所定の距離離れている位置（車両のダッシュボードやウィンドウ）に取り付けられていて、運転者の運転中に視線が分散されて安全事故の発生の危険性が高くなる恐れがあった。このため、ナビゲーションもハンドルに取り付けることができるのであれば、運転者の視線を走行方向に集中させることができ、より安全性を担保することができるということが予想される。
【先行技術文献】
【特許文献】
【００１２】
【特許文献１】大韓民国公開特許第１９９６−００３３９６３号公報
【発明の概要】
【発明が解決しようとする課題】
【００１３】
本発明は上記の技術の問題点を克服するためになされたものであり、その目的は、公知のハンドルシャフトの上及びハンドルハブの上に磁石を取り付けて回転力を圧倒することのできる磁力によりスイッチ及びナビゲーションのどちらか一方がハンドルの回転時にも回転されずに定位置に固定されるようにする自動車用ナビゲーションのハンドルへの取付装置を提供するところにある。
【００１４】
本発明の他の目的は、スイッチの作動のための電線の絡みを防ぐためにスイッチを遠隔調整する方式を提供するところにある。
【００１５】
本発明のさらに他の目的は、ハンドルのハブの下に取り付けられる磁石を複数にして、磁力による引力が回転力に負けてスイッチ及びナビゲーションのどちらか一方のハンドル内の取付構造がもしか回転されてしまうという蓋然性を最小化させるところにある。
【課題を解決するための手段】
【００１６】
上記の目的を達成するために、本発明は、自動車用ナビゲーションのハンドルへの取付装置であって、環状のリムからハンドルシャフトの連結されたハブに向かって放射状にスポークが連結されることにより、内部に所定の空間を有するハンドルと、前記ハブの上に突き出ているハンドルシャフトの端部と嵌合されるように中央部に貫通口を備え、前記貫通口の周縁に回り止め軸受けアセンブリーが設けられた状態において、磁石からなってハンドルシャフトの外周面に形成されている第１のマグネットモジュールと、ブラケットにより前記第１のマグネットモジュールに固定され、上面に前記リムと並ぶように所定の距離離れた位置に前記リムの内側に形成されたハンドルスイッチ及びナビゲーションのどちらか一方を備えたパネルを有するハウジングと、磁石からなって前記ハブの下に位置するハンドルシャフトの所定の部位に固定されている第２のマグネットモジュールと、を備え、第１及び第２のマグネットモジュールの磁石の相互作用により発生した磁力が前記ハンドルの回転力よりも大きく、且つ、前記回り止め軸受けアセンブリーにより前記第１のマグネットモジュールがハンドルシャフトに固定されることにより、前記ハンドルスイッチ及びナビゲーションのどちらか一方が、ハンドルの回転がある場合であっても固定されていることを特徴とする、自動車用ナビゲーションのハンドルへの取付装置を提供する。
【発明の効果】
【００１７】
本発明による自動車用ナビゲーションのハンドルへの取付装置によれば、下記の効果が得られる。
【００１８】
先ず第一に、運転中にハンドルスイッチやナビゲーションの操作を容易にして安全運行を保証することができる。
【００１９】
第二に、ハンドルシャフトの構造を変更することなく、磁石を取り付けて施工しやすく、しかも、基本車両にも設置可能である。
【００２０】
第三に、既存のハンドルシャフトをそのまま利用することができることから、製作費用が節減される。
【００２１】
最後に、回転力を勝ち取る磁力構造を有することにより、安全にハンドルスイッチやナビゲーションがハンドルに取付け可能になり、無線にてハンドルスイッチの信号を送信するとともに、磁石の電磁気石構造を提供して周辺機器への磁力の影響を極力抑えることができる。
【図面の簡単な説明】
【００２２】
【図１】本発明による自動車用ナビゲーションのハンドルへの取付装置の概略構成を示す斜視図である。
【図２】本発明による自動車用ナビゲーションのハンドルへの取付装置の各構成を示す分解斜視図である。
【図３ａ】本発明によるハンドルスイッチまたはナビゲーションが設けられたハウジングのパネルの構造を示す平面図である。
【図３ｂ】本発明によるハンドルスイッチまたはナビゲーションが設けられたハウジングのパネルの構造を示す平面図である。
【図４】本発明による第１のマグネットモジュールとハンドルシャフトとの嵌合構造を具体的に示す部分斜視図である。
【図５】本発明による回り止め軸受けアセンブリーに対する例示的な平面図である。
【図６】本発明による第１及び第２のマグネットモジュールが電磁気石よりなるときの構成関係を示すブロック図である。
【図７】本発明によるハンドルスイッチを遠隔調整するための構成を示すブロック図である。
【図８】本発明による第２のマグネットモジュールが複数配置された構造を示す斜視図である。
【発明を実施するための形態】
【００２３】
以下、添付図面に基づき、本発明の好適な実施例を詳述する。添付図面は縮尺により図示されておらず、各図面における同じ参照番号は同じ構成要素を指し示す。
【００２４】
図１は、本発明による自動車用ナビゲーションのハンドルへの取付装置の概略構成を示す斜視図であり、図２は、図１の各構成を示す分解斜視図である。
本発明者は、既存のハンドルスイッチ及びナビゲーションのどちらか一方が取り付けられていない車両においても、ハンドルを再購入したり無理に変形することなく、便利で且つ簡単なリモデリング方式により固定式ハンドルスイッチの取付構造を提供するために、ギア方式ではなく、磁力による固定方式を利用することに着目した。
【００２５】
図１及び図２を参照すると、本発明による自動車用ナビゲーションのハンドルへの取付装置は、環状のリム１から放射状に下部の中心に向かって延びているスポーク２及び前記スポーク２の連結中心をなして中央にシャフト嵌合孔を有するハブ３を備える公知のハンドルにおいて、リム１の下のスポーク２とハブ３とが形成する空間、すなわち、逆円錐状や逆ドーム状を呈する空間に第１のマグネットモジュール５０を備え、前記第１のマグネットモジュール５０の上にはハンドルスイッチ１０とその他エアバッグモジュールを備えたハウジング３０が固定連結されており、ハブ３の下に位置するハンドルシャフト４の所定の部位、具体的には、コントロールボックスの上には第２のマグネットモジュール６０が固定連結されているような構造を採用している。このような本発明による構成の機能及び作用をより詳述すると、下記の通りである。
【００２６】
図３Ａ及び図３Ｂは、本発明によるハンドルスイッチ１０及びナビゲーションのどちらか一方が設けられたパネル２０の構造を示す平面図である。
【００２７】
パネル２０は、リム１の内周面から所定の距離離れるが、横方向にリム１とほとんど平行線上に置かれて所定の距離離れた状態でリム１の内部に位置するものであって、リム１の形状に見合う円形形状を有するか、あるいは、運転者がリム１を両手で把持する空間を有するように形成された摘部５の部位から所定の距離離れて押し潰された楕円形状やその他幾何学的な形状を有することができる。要するに、本発明によるパネル２の形状は特定の形状に制限されない。  
【００２８】
ハンドルスイッチ１０は、運転者の両手がリム１に置かれる部位を考慮して、指が届く便利な部位に位置するように、図３Ａに示すように、パネル２０の両側に分散されて位置することが好ましく、ハンドルスイッチ１０には、周辺機器の作動のための様々なボタン、例えば、音楽選曲ボタン、ボリューム調節ボタン、電話機能付き車両の場合には電話連結ボタン、ＳＯＳボタン、エアコン／ヒーターの強度調節ボタンなどが設けられてもよい。
【００２９】
すなわち、本発明によるハンドルスイッチ１０の配列及び種類も特定の形式に制限されるものではなく、設計者によって様々な方式に変更可能である。
【００３０】
さらに、図３Ｂを参照すると、ハンドルスイッチ１０が設けられた部位の周縁のパネルの一部にはナビゲーション１５が取り付けられることが可能である。すなわち、既存のモジュール化またはデッキ処理されたナビゲーション１５をハンドル内に取り付けて運転者の視線がハンドル及び走行方向にのみ集中されるようにでき、運転中における安全性の確保に万全を期することができる。
【００３１】
要するに、本発明によるパネルには、上述したハンドルスイッチ１０、エアバッグモジュールはもとより、ナビゲーション１５が取り付けられることが可能であり、ここで未説明のその他の便宜的な機械／電子装置がハンドル内に取り付けられてもよいことはいうまでもない。
【００３２】
図２に戻ると、パネル２０の下にはハウジング３０が形成されていることが分かる。ハウジング３０は、ハンドルの内部空間に置かれていて、ハンドルスイッチ１０の作動のためのＰＣＢや電線が収容されると共に、公知のエアバッグモジュールを備えている。
【００３３】
パネル２０とハウジング３０は別設されている必要はなく、ハウジング３０をハンドル内の空間に見合うボックス状に設けた後、ハウジング３０の上にパネル２０を一体に形成することも可能である。
【００３４】
ハウジング３０の下には第１のマグネットモジュール５０がブラケット４０により固定連結されている。
【００３５】
図４は、本発明による第１のマグネットモジュール５０とハンドルシャフト４との嵌合構造を具体的に示す部分斜視図である。
【００３６】
本発明による第１のマグネットモジュール５０は、ハンドルスイッチ１０が固定式に形成されるための核心的な役割を果たすものであって、後述する第２のマグネットモジュール６０と相互磁力関係を形成して、ハウジング３０及びパネル２０の固定状態を維持できるようにする。
【００３７】
先ず、第１のマグネットモジュール５０は、円形の鉄板５１と磁石５２が上下に積層形成されている状態を有し、その上にはブラケット４０が取り付けられ、これを介してハウジング３０に固定連結され、中央に貫通口５３が穿孔されてここにハンドルシャフト４が締め付けられると共に、前記貫通口５３の周縁に回り止め軸受けアセンブリー５５を備えている。
【００３８】
ブラケット４０は、第１のマグネットモジュール５０の周縁に沿って複数設けられていて、ハウジング３０を安全に支持する上で無理がないように構成されており、具体的に、ブラケット４０は、第１のマグネットモジュール５０の鉄板５１の上面に取り付けられている。
【００３９】
第１のマグネットモジュール５０の貫通口５３には、ハンドルシャフト４の上端、すなわち、上側の先端部が嵌め込まれている。このようなハンドルシャフト４は、ハンドルと一緒に回転されて車輪に駆動力を伝達するものであって、一般的にハブ３のシャフト貫通孔を貫通してハブ３の上に僅かに突き出ているが、第１のマグネットモジュール５０は、このようにハブ３の上に突き出ているハンドルシャフト４に嵌着されているが、ハブ３から所定の距離離れている状態を有する。
【００４０】
もし、ハンドルシャフト４の突出長さが短い場合には、第１のマグネットモジュール５０がハンドルシャフト４に適切に嵌着されることが困難であるため、ハンドルシャフト４の突出長を延ばすためにハンドルシャフト４の終端に補強結合される補強シャフト（図示せず）をさらに備えてもよい。
【００４１】
図５は、本発明による回り止め軸受けアセンブリー５５に対する例示的な平面図である。
【００４２】
回り止め軸受けアセンブリー５５は、第１のマグネットモジュール５０の貫通口５３の周縁に形成されている内輪５５ａ及び外輪５５ｂよりなる軸受け結合構造に関するものであり、内輪５５ａにはボール５６を備えてハンドルシャフト４と密接することによりハンドルシャフト４と一緒に回転されると共に、第１のマグネットモジュール５０をハンドルシャフト４に固定支持するようにし、外輪５５ｂには外側に突き出た突起部５７により第１のマグネットモジュール５０の内部に強固に係止されるため、ボール５６の回転にも拘らず外輪５５ｂが回転されないような構造となっており、このような回り止め軸受けアセンブリー５５はシャフトに取り付けられた物体が軸受けを媒介にシャフトの回転時にも回転されないようになっている公知の軸受け組合方式に準拠するため、それ以上の具体的な説明は省略する。
【００４３】
このような回り止め軸受けアセンブリー５５により、第１のマグネットモジュール５０はハンドルシャフト４に固定支持されると共に、ハンドルシャフト４の回転にも拘らず回転しないような構造を有することができる。すなわち、本発明においては、このような回り止め軸受けアセンブリーによっても、ハウジングを、ハンドル回転時にも固定状態に維持することができるが、軸受けの機械的な限界（すなわち、摩擦音の発生や固定状態を完璧に維持することが困難であるという問題など）により完璧な固定状態を担保することが困難であるため、磁石という媒介体を別途に用いてハウジング及びパネルがハンドルシャフトにおいても回転されることを防ぐようにしている。
【００４４】
図１及び図２に戻ると、ハブ３の下方に延びているハンドルシャフト４の上部の所定の部位には第２のマグネットモジュール６０が取り付けられている。
【００４５】
第２のマグネットモジュール６０は、ハンドルシャフト４の周辺装置、具体的には、ハンドルシャフト４に一般的に形成されているコントロールボックス７０の上面に固着される。
【００４６】
コントロールボックス７０は、自動車の照明／ワイパー調節レバーの駆動手段及びハンドルスイッチの駆動のための電線が絡んでしまうという現象を防ぐために形成されている電線絡み防止手段などを備えている公知の手段であって、通常、自動車の室内空間においてダッシュボードとハンドルとの間に位置してケース内に収容されている。
【００４７】
このようなコントロールボックス７０の上面にガスケットやパッキンを設けた後、この上にブラケットや公知の固定手段を用いて第２のマグネットモジュール６０を取り付ける。
【００４８】
第２のマグネットモジュール６０は、磁石６２よりなり、中央に貫通口を備えてここにハンドルシャフト４が嵌め込まれることによりハンドルシャフト４に取り付けられるものである。ここで、第２のマグネットモジュール６０は、第１のマグネットモジュール５０と同様に、円形を呈している。
【００４９】
本発明において用いられる第１及び第２のマグネットモジュール５０、６０の磁石５２、６２は、同一体積のうち最大の磁力を有すると知られているネオジミウム（ＮｄＦｅＢ）よりなって、ハンドルの回転力を勝ち取るのに十分な磁力を持たせることが好ましい。
【００５０】
図６は、本発明による第１及び第２のマグネットモジュール５０、６０が電磁気石５２ａ、６２ａよりなるときの構成関係を示すブロック図である。
【００５１】
第１及び第２のマグネットモジュール５０、６０の磁石が電磁気石５２ａ、６２ａよりなる場合、コントロールボックス７０に別途の電流供給部７１及び制御部７２を備えて、平常時には電磁気石５２ａ、６２ａのコイルに電流が供給されず、始動をかけたときに限ってこのような始動信号が制御部７２に伝達され、さらに制御部７２は電流供給部７１に電流を供給するように信号を送信して運転中にのみ磁力が発生するように構成されることも可能である。
【００５２】
このように第１及び第２のマグネットモジュール５０、６０の磁石を電磁気石５２ａ、６２ａにする理由は、平常時には周辺機器が磁石による磁力に影響されないようにするためであり、さらに、運転中に磁性が発生する場合であっても、周辺機器がこのような磁力に影響されないようにハブ３やコントロールボックス７０は磁力に影響されない金属や合成樹脂の材質から形成されることが好ましい。
【００５３】
図７は、本発明によるハンドルスイッチ１０を遠隔調整するための構成を示すブロック図である。
【００５４】
ハンドルスイッチ１０が回転せず、且つ、他の部位はハンドルの回転に伴い回転するような方式を採用するとき、有線にてハンドルスイッチ１０からの信号をコントロールボックス７０などに伝達する場合、たとえコントロールボックス７０に電線の絡みを防止可能な手段が設けられているとしても、製作費用が高くなり、しかも、構造が複雑になるという問題が発生する恐れがあるため、ハンドルスイッチ１０からの信号を有線ではなく無線にて送信する方式を提供する。
【００５５】
具体的に、図７を参照すると、ハンドルスイッチ１０付きパネル２０はＲＦ無線信号を送信する送信部２１を備え、コントロールボックス７０は送信部２１からの信号を受信する受信部７３を備えて、ハンドルスイッチ１０のスイッチを押す場合、信号が送受信部２１、７３を介して送受信可能であり、結果として、ハンドルスイッチ１０からの信号送信を無線にて行うことが可能である。
【００５６】
図８は、本発明による第２のマグネットモジュール６０が複数配置された構造を示す斜視図である。
【００５７】
図８を参照すると、第２のマグネットモジュール６０は、コントロールボックス７０の上面においてハンドルシャフト４の周縁に沿って複数（図７においては、４個）に切り割られていることが分かる。
【００５８】
このように第２のマグネットモジュール６０を切り割る理由は、第２のマグネットモジュール６０が回転するに伴って磁力線が変更されて、第１のマグネットモジュール５０と相互磁力をなすときに磁力の変化を極力抑えるためである。すなわち、第２のマグネットモジュール６０が回転するとき、単一のユニットからなって回転力により磁力線が変更されるよりは、それぞれ第２のマグネットモジュール６０を切り割り、切割数に見合う分だけ回転力を分散させることにより、回転力による磁力線の変更を低減するためである。
【００５９】
以下、このような構成を有する本発明による自動車用の固定式ハンドルスイッチのハンドルへの取付構造の作用を説明する。
【００６０】
運転者がハンドルを回転すると、ハンドルシャフト４が同時に回転をし、ここに取り付けられている第２のマグネットモジュール６０とコントロールボックス７０、第１のマグネットモジュール５０のボール５６が回転をする。このとき、第１及び第２のマグネットモジュール５０、６０の間には磁力、具体的には、引力が発生できるように第１及び第２のマグネットモジュール５０、６０の磁石配置をし、さらに、ハンドルシャフト４の回転力よりも磁力がさらに大きくなるように磁石の磁性を設定／選択することにより、ハンドルシャフト４が回転をするとしても、第１のマグネットモジュール５０の回り止め軸受けアセンブリー５５の外輪５５ｂは固定された状態を維持することが可能になる。結果的に、磁力による引力が回転力を勝ち取って第１のマグネットモジュール５０に取り付けられているハウジング３０及びハンドルスイッチ１０が設けられたパネル２０を固定状態に維持することになる。
【００６１】
第１のマグネットモジュール５０は、たとえハブ４の表面から所定の距離離れているような構造を有するが、回り止め軸受けアセンブリー５５によりハンドルシャフト４に固定されているため、安全な支持状態を保証することができる。
【００６２】
このため、強制的にハンドルスイッチ１０付きパネル２０を回さない限り、ハンドルスイッチ１０は定位置に固定維持し続けることができ、さらに、無線方式にてハンドルスイッチ１０の操作を行うことができる他、電磁気石５２ａ、６２ａにより第１及び第２のマグネットモジュール５０、６０の磁石を構成して始動時にのみ磁力による引力を発生することができる。
【００６３】
以上述べたように、本発明による自動車用ナビゲーションのハンドルへの取付装置の構成及び作用を前記説明及び図面に表現したが、これは、単なる例示に過ぎず、本発明の思想が前記説明及び図面に限定されることはなく、本発明の技術的な思想から逸脱しない範囲内において種々の変化及び変更が可能であることはいうまでもない。
【符号の説明】
【００６４】
１：リム、
５２ａ、６２ａ：電磁気石、
２：スポーク、
５３：貫通口、
３：ハブ、
５５：回り止め軸受けアセンブリー、
４：ハンドルシャフト、
５６：ボール、
５：摘部、
５７：突起部、
１０：ハンドルスイッチ、
６０：第２のマグネットモジュール、
２０：パネル、
７０：コントロールボックス、
３０：ハウジング、
７１：電流供給部、
４０：ブラケット、
７２：制御部、
５０：第１のマグネットモジュール、
【図１】
2010208500.tif 000003
【図２】
2010208500.tif 000004
【図３ａ】
2010208500.tif 000005
【図３ｂ】
2010208500.tif 000006
【図４】
2010208500.tif 000007
【図５】
2010208500.tif 000008
【図６】
2010208500.tif 000009
【図７】
2010208500.tif 000010
【図８】
2010208500.tif 000011